(57)【特許請求の範囲】
【請求項１】
筒状可とう体を介して管をマンホールに取り付けるにあたり、
(1)マンホールの削孔部に固定されるマンホール側筒状部と、管の挿入端部に締結バンドを用いて外周から固定される管側筒状部と、前記マンホール側筒状部と前記管側筒状部とを繋いでいる連結部とを有している筒状可とう体を準備する工程、
(2)前記管側筒状部の内周側及び外周側の少なくとも一方で前記締結バンドと連結部との間に剛性リングを設ける工程、及び
(3)前記管側筒状部を筒状に保ちながら前記管側筒状部内に前記管を挿入する工程
を含むことを特徴とする管取付方法。
【請求項２】
前記剛性リングを前記管側筒状部の外周側で締結バンドと連結部との間に設ける請求項1記載の管取付方法。
【請求項３】
管をマンホールに取り付けるための可とう継手であって、
筒状可とう体と剛性リングとを備えており、前記筒状可とう体が、マンホールの削孔部に固定されるマンホール側筒状部と、管の挿入端部に締結バンドを用いて外周から固定される管側筒状部と、前記マンホール側筒状部と前記管側筒状部とを繋いでいる連結部とを有しており、前記剛性リングが前記管側筒状部の内周側及び外周側の少なくとも一方で前記締結バンドと連結部との間に設けられており、マンホールと管とを接続する際、前記剛性リングによって前記管側筒状部の変形が防止されることを特徴とする可とう継手。
【請求項４】
前記管側筒状部が、筒状に保たれた状態で、前記連結部の可とう性によって、前記マンホールに対する前記管の取付角に追従する請求項3記載の可とう継手。
【請求項５】
前記マンホール側筒状部が前記管の挿入端部の外径よりも大きな内径を有する請求項3又は4記載の可とう継手。
【請求項６】
前記連結部が前記管の取付角に追従する蛇腹部を有する請求項3〜5のいずれか一項記載の可とう継手。
【請求項７】
管が可とう継手を介してマンホールに取り付けられる、管取付構造であって、
前記可とう継手が筒状可とう体と剛性リングとを備えており、前記筒状可とう体が、マンホールの削孔部に固定されるマンホール側筒状部と、管の挿入端部に締結バンドを用いて外周から固定される管側筒状部と、前記マンホール側筒状部と前記管側筒状部とを繋いでいる連結部とを有しており、前記管側筒状部の内周側及び外周側の少なくとも一方で前記締結バンドと連結部との間に設けられる前記剛性リングによって筒状に保たれた前記管側筒状部内に前記管が挿入されていることを特徴とする管取付構造。
【発明の詳細な説明】
【０００１】
【発明の属する技術分野】
本発明は、筒状可とう体を介して管をマンホールに取り付ける方法に関し、特に、筒状可とう体と剛性リングとを備える可とう継手及び管取付構造に関する。
【０００２】
【従来の技術】
マンホールの接続孔と下水道等の本管とを接続するには、可とう継手が用いられる。かかる可とう継手は拡張バンドによってマンホール接続孔に固定される。
【０００３】
下水道の面整備に用いられ下水管きょの方向や勾配が変わるところとか、管径が変わるところに使用されるマンホールは、マンホールと本管の接続部にコンクリートを打設し巻立てする工法が行われている。
【０００４】
かかるコンクリート巻き立て工法では、地盤沈下や地震等の地盤の歪で本管とマンホールの相対的位置が変位すると、コンクリート巻立て部がひび割れたり、マンホールからの管の抜出し等が発生して、不明水の浸入や下水が漏水する欠点があった。
【０００５】
最近では、マンホールと本管の相対的位置が変位しても変位を吸収し止水性も維持できるゴム製の可とう継手が多く用いられるようになってきた。
【０００６】
【発明が解決しようとする課題】
しかし、本発明者は、マンホールに対する管の取付角が大きくなる場合、従来のゴム製の可とう継手を介した管のマンホールへの取付が困難になることを見出した。
【０００７】
本発明の課題は、マンホールに対する管の取付角に影響されることなく、可とう継手への管の挿入を可能にすることによって、水密性に優れた管取付構造を得ることである。
【０００８】
【課題を解決するための手段】
本発明は、筒状可とう体を介して管をマンホールに取り付けるにあたり、(1)マンホールの削孔部に固定されるマンホール側筒状部と、管の挿入端部に締結バンドを用いて外周から固定される管側筒状部と、前記マンホール側筒状部と前記管側筒状部とを繋いでいる連結部とを有している筒状可とう体を準備する工程、(2)前記管側筒状部の内周側及び外周側の少なくとも一方で前記締結バンドと連結部との間に剛性リングを設ける工程、及び(3)前記管側筒状部を筒状に保ちながら前記管側筒状部内に前記管を挿入する工程を含むことを特徴とする管取付方法に係るものである。
【０００９】
また、本発明は、管をマンホールに取り付けるための可とう継手であって、筒状可とう体と剛性リングとを備えており、前記筒状可とう体が、マンホールの削孔部に固定されるマンホール側筒状部と、管の挿入端部に締結バンドを用いて外周から固定される管側筒状部と、前記マンホール側筒状部と前記管側筒状部とを繋いでいる連結部とを有しており、前記剛性リングが前記管側筒状部の内周側及び外周側の少なくとも一方で前記締結バンドと連結部との間に設けられており、マンホールと管とを接続する際、前記剛性リングによって前記管側筒状部の変形が防止されることを特徴とする可とう継手に係るものである。
【００１０】
さらに、本発明は、管が可とう継手を介してマンホールに取り付けられる管取付構造であって、前記可とう継手が筒状可とう体と剛性リングとを備えており、前記筒状可とう体が、マンホールの削孔部に固定されるマンホール側筒状部と、管の挿入端部に締結バンドを用いて外周から固定される管側筒状部と、前記マンホール側筒状部と前記管側筒状部とを繋いでいる連結部とを有しており、前記管側筒状部の内周側及び外周側の少なくとも一方で前記締結バンドと連結部との間に設けられる前記剛性リングによって筒状に保たれた前記管側筒状部内に前記管が挿入されていることを特徴とする管取付構造に係るものである。
【００１１】
本発明者は、従来の可とう継手に管を挿入する作業が、マンホールに対する管の取付角が大きくなるに従い著しく妨げられることを見出した。かかる状況を図１０及び１１を参照して説明する。
【００１２】
図１０は、従来の可とう継手に取付角θで管を挿入しようとしている状態を示す縦断面図である。図１１は従来の可とう継手を取付角θの方向に向けようとした状態を示す部分縦断面図である。
【００１３】
図１０に示すように、マンホール２に管３を接続する際、マンホールに取り付けられた可とう継手５１に、管３を取付角θで取り付ける場合、管３は、可とう継手５１のＡ部で突き当たり、可とう継手５１に挿入できなくなる。
【００１４】
また、可とう継手５１の管挿入受け部５１ａを取付け角度に合わせて管３の方向に無理に向けようとしても、図１１に示すように、管挿入受け部５１ａに変形５１ｂが生じ、管３の挿入は困難となる。
【００１５】
かかる可とう継手と管の接続においては、管に取付角を付けるのに先立って、一旦、管に角度をつけないで水平状態で管を可とう継手に挿入した後、管と可とう継手とを指定の角度まで屈曲させることで管の可とう継手への挿入は可能になる場合がある。
【００１６】
しかし、マンホール上流側での管の取付の場合で、地盤勾配の大きいところでは、可とう継手の管挿入口に対し、管は地盤勾配に邪魔され水平状態が取れないため、管の接続作業はできない。
【００１７】
かかる知見の下、本発明者は、可とう継手に対し管の取付角をつける必要があり、かつ管が水平状態を取れない場合においても、可とう継手の管挿入口を管取付角に合わせて容易に向けることができ、管も取付角を付けた状態で可とう継手に円滑に挿入できる手段を検討した。
【００１８】
その結果、本発明者は、筒状可とう体と剛性リングとの組合せからなる所定の可とう継手を用いることによって、管の取付角に自在に対応した水密性の高い管取付構造が得られることを突き止め、本発明に到達した。
【００１９】
本発明では、管をマンホールに取り付けるために可とう継手を用いる。かかる可とう継手は筒状可とう体と剛性リングとを備えている。
【００２０】
本発明にかかる筒状可とう体は、マンホールの削孔に圧着されるマンホール側筒状部と、管に圧着される管側筒状部と、マンホール側筒状部と管側筒状部とを繋いでいる連結部とを有している。
【００２１】
本発明では、剛性リングが管側筒状部の内周側又は外周側に設けられる。かかる剛性リングは、マンホールと管とを接続する際、筒状可とう体の管側筒状部の変形を防止するように働く。
【００２２】
本発明によれば、マンホールに対する管の取付角に影響されることなく、可とう継手への管の挿入を可能にすることによって、水密性に優れた管取付構造を得ることができる。
【００２３】
【発明の実施の形態】
本発明の実施の形態を説明する。
（１）マンホール
本発明を適用できるマンホールは、大きさ、用途、形状及び材質等、特に制限されない。かかるマンホールとしては小型マンホールや通常の１号マンホール以上のマンホールを例示することができる。
【００２４】
かかるマンホールには管を取り付けるための削孔部が設けられる。削孔部の口径、形状等は、種々に設定することができる。
【００２５】
（２）管
本発明にかかる管は、大きさ、用途、形状及び材質等、特に制限されない。かかる管としては、種々の口径や材質からなる管を用いることができる。
【００２６】
（３）可とう継手
本発明にかかる可とう継手は管をマンホールに取り付けるために用いる。かかる可とう継手は、管とマンホールとの取付部に可とう性を付与し、取付部の耐震性、耐漏水性等を高めることができる。
【００２７】
本発明では、かかる可とう継手は以下に詳細に説明する筒状可とう体と剛性リングとを備える。
【００２８】
（３−１）筒状可とう体
本発明にかかる筒状可とう体は、マンホールの削孔に固定されるマンホール側筒状部と、管に固定される管側筒状部と、マンホール側筒状部と管側筒状部とを繋いでいる連結部とを有する。
【００２９】
本発明では、筒状とは、外周部と外周部に囲まれた内部空間を有する形状をいう。内部空間は、断面で見て、円形、三角形、四角形等の多角形、種々に変形し得る形状のものでよい。筒状には、円筒が含まれる。
【００３０】
かかる筒状可とう体は、所望の可とう性を示せば、形状、材質等、特に制限はない。かかる筒状可とう体は、種々の材料、好ましくは、天然ゴム、合成ゴム、軟質プラスチック、熱可塑性エラストマー等からなる群より選ばれる材料、特に弾性材料を用いて作製することができる。
【００３１】
筒状可とう体は、マンホール側筒状部と管側筒状部とが連結部によって繋がれていれば、連結部を介した折り返し形状でも折り返しのない円錐状でも良い。
【００３２】
（３−１−１）マンホール側筒状部
マンホール側筒状部はマンホールの削孔部に固定される。かかる削孔部への固定は、水密性の観点から圧着が好ましい。圧着には、種々の手段、例えば、拡張バンドを用いることができる。
【００３３】
かかるマンホール側筒状部は管の挿入端部の外径よりも大きな内径を有することができる。好ましくは、かかるマンホール側筒状部は、マンホールに対する管の取付角が最大となっても、管の挿入端部を収納することができる空間を形成する。
【００３４】
（３−１−２）管側筒状部
管側筒状部は管に固定される。管への固定は、水密性の観点から圧着が好ましい。圧着には、種々の手段、例えば、締結バンドを用いることができる。
【００３５】
（３−１−３）連結部
連結部はマンホール側筒状部と管側筒状部とを繋ぐものであれば、形状等、特に制限はない。好ましくは、連結部は蛇腹部を有する。蛇腹部は、管側筒状部が管の取付角に追従し易くすることができる。
【００３６】
（３−１−４）蛇腹部
連結部の蛇腹部は、管側筒状部の変位に追従できる形状であれば、形状、材質等の制限はない。かかる蛇腹部は、連結部の途中に、可とう継手の中心軸に対し平行状態でも垂直状態でも設けて良い。
【００３７】
（３−２）剛性リング
本発明にかかる剛性リングは筒状可とう体の管側筒状部の内周側又は外周側に設けられる。かかる剛性リングは筒状可とう体の管側筒状部を補強する働きをする。
【００３８】
かかる剛性リングは、マンホールと管とを接続する際、筒状可とう体の管側筒状部の変形を防止し、管側筒状部を筒状に保持することができる。
【００３９】
本発明にかかる剛性リングは、管側筒状部の内部に埋め込んで設けられてもよく、管側筒状部の内周側又は外周側に接着剤や固定具等を用いて固定されて設けられてもよい。
【００４０】
管側筒状部を補強することができる剛性リングは、可とう継手の管側筒状部の変位時にその筒状状態を保持できれば良いため、管側筒状部の内周側又は外周側に設置すれば良く、厚みや幅及び剛性は、可とう継手の硬さ及び強度等に準じて決めることができる。
【００４１】
かかる剛性リングは、硬質塩化ビニル樹脂、ＡＢＳ樹脂（アクリロニトリルとブタジエンとスチレンの（三元）共重合体からなる樹脂）、ＰＥＴ（ポリエチレンテレフタレート）樹脂、ナイロン等からなる群より選ばれる少なくとも１種のプラスチック、又は防錆処理鋼、ステンレス鋼等からなる群より選ばれる少なくとも１種の腐食し難い金属類等から形成することができる。
【００４２】
（４）管の可とう継手への取付
本発明においては、筒状可とう体の管側筒状部が剛性リングによって補強されているので、管の可とう継手への取付が安定する。
【００４３】
特に、本発明では、管に取付角を付ける必要があり、かつ管が水平状態を取れない場合において、可とう継手の管挿入受け部を管取付角に合わせて容易に向けることができ、管も取付角を付けた状態で可とう継手に円滑に挿入できる。
【００４４】
本発明では、マンホールに対する管の取付角がない場合も、安定して管をマンホールに取付けることができるが、マンホールに対して管が、１〜６０°の角度、特に３〜６０°の角度で取り付けられる場合も、水密性に優れた取付構造が得られる。
【００４５】
図面を参照して、本発明を具体的に説明する。
図１は本発明の一例の可とう継手の縦断面図である。図２は図１の可とう継手の正面図である。図３（ａ）は本発明にかかる一例の剛性リングを示す縦断面図であり、（ｂ）は（ａ）の剛性リングの正面図である。
【００４６】
図４は本発明の他の例の可とう継手の部分縦断面図である。図５は本発明の更に他の例の可とう継手の部分縦断面図である。
【００４７】
図６は本発明の一例の管取付方法の一工程を示す立て断面図である。図７は本発明の一例の管取付方法の他の工程を示す横断面図である。図８は本発明の他の例の管取付方法の一工程を示す縦断面図である。図９は本発明の更に他の管取付方法の一工程を示す横断面図である。
【００４８】
図１及び２に示すように、本発明の一例の可とう継手１は、円筒可とう体４と剛性リング５とを備えている。円筒可とう体４は、マンホール側円筒部４ａと、管側円筒部４ｂと、これらを繋ぐ連結部４ｃとを有し、連結部４ｃには蛇腹部４ｄが設けられている。また、円筒可とう体４には、管側円筒部４ｂの管側挿入端部４ｅから管が挿入される。
【００４９】
管側円筒部４ｂの外周面には補強用の剛性リング５が設けられている。連結部４ｃ及びマンホール側円筒部４ａは管取付角の最大時においても管の挿入端部を収納できる自由空間６が確保できる内径を有している。可とう継手１は、管取付角に自在に対応する管側円筒部４ｂを有する。
【００５０】
図３には、図１及び２に示す可とう継手１に用いる一例の補強剛性リング５の縦断面図と正面図を示す。本発明にかかる剛性リングは、この例に限られず、種々の形状のものを用いることができる。
【００５１】
図４に示す可とう継手１１は、図１及び２の可とう継手１と同様な縦断面図を有するが、補強用の剛性リング１５が管側円筒部４ｂの内周側に設けられている点が可とう継手１と異なる。
【００５２】
図５に示す可とう継手２１では、補強用の剛性リング２５が管側円筒部４ｂの内周側に設けられていると共に、連結部４ｃに、蛇腹部２４ｄが可とう継手２１の中心軸に対し直角方向に設けられており、管の挿入端部を収容できる自由空間２６が設けられている。本発明にかかる蛇腹部は、これらの例に限られず、種々の形状のものを用いることができる。
【００５３】
図６は、本発明の一例の可とう継手１をマンホール２の接続孔２ａに拡張バンド７で取付ける状態を縦断面図で示している。管側円筒部４ｂには、管に固定するための締結バンド８が設けられている。
【００５４】
図７は、図６の可とう継手１に管３が管側円筒部４ｂよりマンホール２の内周面の位置Ａまで取付け角を付けずに円滑に挿入される状況を横断面図で示している。
【００５５】
図８は、図６で取付けられた可とう継手１の管側円筒部４ｂを取付け角θで鉛直方向に変位させた状態で、管３を角度θだけ傾け、管３を挿入する状況を縦断面図で示す。
【００５６】
図８に示すように、管側円筒部４ｂの角度θの変位に対しては、補強剛性リング５が管側円筒部４ｂを周りから支持しているため、管側円筒部４ｂの管側挿入端部４ｅが変形することがない。
【００５７】
また、図８に示す例では、蛇腹部４ｄが変位に追従するため自由空間６を阻害することがなく円滑に管３の挿入ができる状況を示す。
【００５８】
図９は、管３を水平方向に取付け角δで変位させ挿入するときの状況を示し、図８と同様に取付け角がついても、管３を管側円筒部４ｂに円滑に挿入することができる状況を示す。
【００５９】
このように、本発明では、可とう継手の管側筒状部の内周部又は外周部に設けられた剛性リングが管側筒状部を補強支持する。また、本発明では、管側筒状部の変位は連結部に設けられた蛇腹部が追従するため、管側筒状部は変位前の筒状態を保持したまま容易に取付け角度に合わせて変位さすことができる。
【００６０】
【発明の効果】
本発明によれば、所定の剛性リングを備える可とう継手を、マンホールの接続孔に取付ければ、この可とう継手に管を挿入する際に、管に取付け角が必要とされても、可とう継手の管挿入口を変形させることなく円筒に保ちながら、取付け角度に合わせて管に向けることができ、水密性に優れた管の取付構造を得ることができる。
【図面の簡単な説明】
【図１】  本発明の一例の可とう継手の縦断面図である。
【図２】  図１の可とう継手の正面図である。
【図３】  （ａ）は本発明にかかる一例の剛性リングを示す縦断面図であり、（ｂ）は（ａ）の剛性リングの正面図である。
【図４】  本発明の他の例の可とう継手の部分縦断面図である。
【図５】  本発明の更に他の例の可とう継手の部分縦断面図である。
【図６】  本発明の一例の管取付方法の一工程を示す縦断面図である。
【図７】  本発明の一例の管取付方法の他の工程を示す横断面図である。
【図８】  本発明の他の例の管取付方法の一工程を示す縦断面図である。
【図９】  本発明の更に他の管取付方法の一工程を示す横断面図である。
【図１０】  従来の可とう継手に取付角θで管を挿入しようとしている状態を示す縦断面図である。
【図１１】  従来の可とう継手を取付角θの方向に向けようとした状態を示す部分縦断面図である。
【符号の説明】
１  可とう継手
２  マンホール
２ａ  削孔部
３  管
４  円筒可とう体
４ａ  マンホール側円筒部
４ｂ  管側円筒部
４ｃ  連結部
４ｄ  蛇腹部
４ｅ  管側挿入端部
５  剛性リング
６  自由空間
７  拡張バンド
８  締結バンド
５１  従来の可とう継手
【図１】
0004063558.tif 000002
【図２】
0004063558.tif 000003
【図３】
0004063558.tif 000004
【図４】
0004063558.tif 000005
【図５】
0004063558.tif 000006
【図６】
0004063558.tif 000007
【図７】
0004063558.tif 000008
【図８】
0004063558.tif 000009
【図９】
0004063558.tif 000010
【図１０】
0004063558.tif 000011
【図１１】
0004063558.tif 000012